(57)【要約】      （修正有）【課題】実用化に適した構成を有するＩＰＤＣ受信機を提供する。【解決手段】ＩＰＤＣ受信機１ａ，１ｂは、建物の壁の内部に設置される。ＩＰＤＣ受信機の各々は、放送信号が入力される入力端子２０と、入力端子に入力された放送信号を第１の信号Ｓ１および第２の信号Ｓ２に分ける分岐回路２６と、第１の信号Ｓ１をＩＰＤＣ受信機の外部に出力するための出力端子２１と、第２の信号Ｓ２をＩＰＤＣ受信機の外部に出力するための出力端子２２と、第１の信号Ｓ１および第２の信号Ｓ２のうちの一方からＩＰデータを抽出して、抽出されたＩＰデータを無線で出力する無線出力回路２８と、放送信号に重畳された直流電圧から、無線出力回路用の電源電圧を生成する電源回路２７とを備える。出力端子２１，２２の一方は、テレビジョン受像機が接続される壁面端子であるのが好ましい。【選択図】図３
0003187558.tif 000002
【実用新案登録請求の範囲】
【請求項１】
壁の内部に設置され、ＩＰ（Internet  Protocol）データが重畳された放送信号を受信するＩＰＤＣ（IP  Data  Cast）受信機であって、
前記放送信号が入力される入力端子と、
前記入力端子に入力された前記放送信号を第１および第２の信号に分ける信号分割部と、
前記第１の信号を前記ＩＰＤＣ受信機の外部に出力するための第１の出力端子と、
前記第２の信号を前記ＩＰＤＣ受信機の外部に出力するための第２の出力端子と、
前記第１および第２の信号のうちの一方から前記ＩＰデータを抽出して、抽出された前記ＩＰデータを無線で出力する無線出力回路と、
前記放送信号に重畳された直流電圧から、前記無線出力回路の動作のための電源電圧を生成する電源回路とを備える、ＩＰＤＣ受信機。
【請求項２】
前記第１の出力端子および前記第２の出力端子のうちの一方は、壁面端子である、請求項１に記載のＩＰＤＣ受信機。
【請求項３】
前記壁面端子は、前記第２の出力端子であり、
前記ＩＰＤＣ受信機は、
その一方端が前記入力端子に電気的に接続され、その他方端が前記第１の出力端子に電気的に接続される高周波チョークコイルと、
前記高周波チョークコイルの前記一方端と前記信号分割部との間、または、前記高周波チョークコイルの前記他方端と前記信号分割部との間に接続されるコンデンサとをさらに備える、請求項２に記載のＩＰＤＣ受信機。
【請求項４】
前記電源回路は、
前記入力端子と前記第２の出力端子との間に直列に接続される第１および第２の高周波チョークコイルと、
前記第１の高周波チョークコイルおよび前記第２の高周波チョークコイルの接続点に生じた前記直流電圧を、前記電源電圧に変換する変換回路と、
前記第１および第２の高周波チョークコイルの前記接続点から前記変換回路への向きに順方向となるように、前記第１および第２の高周波チョークコイルの前記接続点と前記変換回路との間に接続されるダイオードとを含む、請求項１〜３のいずれか１項に記載のＩＰＤＣ受信機。
【請求項５】
前記ＩＰＤＣ受信機の前記入力端子は、別の前記ＩＰＤＣ受信機の前記第１の出力端子および第２の出力端子の一方に接続可能に構成される、請求項１に記載のＩＰＤＣ受信機。
【考案の詳細な説明】
【技術分野】
【０００１】
本考案は、ＩＰＤＣ（IP  Data  Cast）受信機に関する。
【背景技術】
【０００２】
ＩＰＤＣ（IP  Data  Cast）は、放送信号にＩＰ（Internet  Protocol）データを重畳して、放送信号の送信によって、そのＩＰデータを一斉配信するサービスである。ＩＰＤＣを実現するための技術がこれまでに提案されている。
【０００３】
たとえば特開２０１０−１３６１３８号公報（特許文献１）は、視聴者が放送を視聴しているときに、その視聴中の放送内容に関連した情報の提供を受けることが可能な情報提供システムを開示する。たとえば特開２０１１−２３９０８７号公報（特許文献２）は、通信システムで送信される信号に加えて放送システムで放送される放送波を受信して、端末に中継等することができる受信中継装置を開示する。たとえば特開２０１１−２９９７２号公報（特許文献３）は、映像番組と関連コンテンツとを簡単に連携させることができる放送システム、受信装置等を開示する。
【先行技術文献】
【特許文献】
【０００４】
【特許文献１】特開２０１０−１３６１３８号公報
【特許文献２】特開２０１１−２３９０８７号公報
【特許文献３】特開２０１１−２９９７２号公報
【考案の概要】
【考案が解決しようとする課題】
【０００５】
上記の各文献は、ＩＰＤＣ受信機の基本的な機能を開示する。しかし、これらの文献は、ＩＰＤＣ受信機を動作させるための具体的構成について開示していない。したがってＩＰＤＣ受信機を実用化するための技術が求められる。
【０００６】
本考案の目的は、実用化に適した構成を有するＩＰＤＣ受信機を提供することである。
【課題を解決するための手段】
【０００７】
この考案のある局面に係るＩＰＤＣ受信機は、壁の内部に設置され、ＩＰ（Internet  Protocol）データが重畳された放送信号を受信するＩＰＤＣ（IP  Data  Cast）受信機である。ＩＰＤＣ受信機は、放送信号が入力される入力端子と、入力端子に入力された放送信号を第１および第２の信号に分ける信号分割部と、第１の信号をＩＰＤＣ受信機の外部に出力するための第１の出力端子と、第２の信号をＩＰＤＣ受信機の外部に出力するための第２の出力端子と、第１および第２の信号のうちの一方からＩＰデータを抽出して、抽出されたＩＰデータを無線で出力する無線出力回路と、放送信号に重畳された直流電圧から、無線出力回路の動作のための電源電圧を生成する電源回路とを備える。
【０００８】
好ましくは、第１の出力端子および第２の出力端子のうちの一方は、壁面端子である。
好ましくは、壁面端子は、第２の出力端子である。ＩＰＤＣ受信機は、その一方端が入力端子に電気的に接続され、その他方端が第１の出力端子に電気的に接続される高周波チョークコイルと、記高周波チョークコイルの一方端と信号分割部との間、または、高周波チョークコイルの他方端と信号分割部との間に接続されるコンデンサとをさらに備える。
【０００９】
好ましくは、電源回路は、入力端子と第２の出力端子との間に直列に接続される第１および第２の高周波チョークコイルと、第１の高周波チョークコイルおよび第２の高周波チョークコイルの接続点に生じた直流電圧を、電源電圧に変換する変換回路と、第１および第２の高周波チョークコイルの接続点から変換回路への向きに順方向となるように、第１および第２の高周波チョークコイルの接続点と変換回路との間に接続されるダイオードとを含む。
【００１０】
好ましくは、ＩＰＤＣ受信機の入力端子は、別のＩＰＤＣ受信機の第１の出力端子および第２の出力端子の一方に接続可能に構成される。
【考案の効果】
【００１１】
本考案によれば、実用化に適した構成を有するＩＰＤＣ受信機を提供することができる。
【図面の簡単な説明】
【００１２】
【図１】本考案の実施の形態に係るＩＰＤＣ受信機を含むシステムの概要図である。
【図２】本考案の実施の形態に係るＩＰＤＣ受信機１ａの概略的な外観を示した図である。
【図３】本考案の実施の形態に係るＩＰＤＣ受信機の内部構成を示したブロック図である。
【考案を実施するための形態】
【００１３】
以下、図面を参照しつつ、本考案の実施の形態について説明する。以下の説明では、同一または対応する要素には同一の符号を付して、それらについての詳細な説明は繰り返さない。
【００１４】
図１は、本考案の実施の形態に係るＩＰＤＣ受信機を含むシステムの概要図である。図１を参照して、放送局１０１は、テレビ放送番組を製作する。製作されたテレビ放送番組の内容は、放送波の形態で電波塔１０２から発信される。この実施の形態では、地上デジタル放送のための放送波が電波塔１０２から発信される。
【００１５】
放送波とともに、任意のアプリケーションあるいはコンテンツ（たとえば画像、音声あるいは文字）が、所定のプロトコルに従ってＩＰ（Internet  Protocol）パケットとして送信される。これにより、いわゆるＩＰＤＣが行なわれる。たとえば放送プロトコルとしては、ＭＰＥＧ（Moving  Picture  Expert  Group）−２  ＴＳ（トランスポートストリーム）が使用される。ＴＳは、ＯＦＤＭ（Orthogonal  Frequency  Division  Multiplexing）にて多重化されるとともにデジタル変調されてデジタル放送波として送出される。なお、ＴＳの構成、ならびに、ＯＦＤＭによる多重化およびデジタル変調は、公知であるのでその詳細な説明はここでは繰り返さない。
【００１６】
家屋２００には、上記の放送波を受信するためのアンテナ２０１が設置されている。アンテナ２０１で受信された放送波は、ケーブル（たとえば同軸ケーブル）２０２を伝送して、本考案の実施の形態に係るＩＰＤＣ受信機１ａに放送信号として入力される。
【００１７】
ＩＰＤＣ受信機１ａは、壁５０の内部に設置される。ＩＰＤＣ受信機１ａは、１つの入力端子と２つの出力端子（図１には示さず）とを有する。ＩＰＤＣ受信機１ａの入力端子に放送信号が入力される。
【００１８】
ＩＰＤＣ受信機１ａの２つの出力端子のうち、一方の出力端子は、壁面に露出する。この出力端子は、同軸ケーブル５ａを介してテレビジョン受像機２ａに接続される。テレビジョン受像機２ａは、ＩＰＤＣ受信機１ａから同軸ケーブル５ａによって送られた放送信号を受けて、受信した放送番組の内容を画面に映像で表示するとともに、スピーカから音声を出力する。
【００１９】
ＩＰＤＣ受信機１ａは、さらに、受信した放送信号からＩＰデータを抽出する。ＩＰＤＣ受信機１ａは、その抽出されたＩＰデータを無線によって出力する。無線通信端末４ａは、ＩＰＤＣ受信機１ａが設置された部屋の中にある無線通信端末である。無線通信端末４ａは、ＩＰＤＣ受信機１ａから送出されたＩＰデータを受信する。
【００２０】
ＩＰＤＣ受信機１ａの２つの出力端子のうち、他方の出力端子は、ＩＰＤＣ受信機１ａに入力された放送信号をそのまま出力する（スルー出力する）ための端子である。この出力端子は、ケーブル２０３（たとえば同軸ケーブル）によってＩＰＤＣ受信機１ｂの入力端子に接続される。ＩＰＤＣ受信機１ｂは、ＩＰＤＣ受信機１ａから出力される放送信号を受ける。
【００２１】
ＩＰＤＣ受信機１ｂは、ＩＰＤＣ受信機１ａと同じく、壁５０の内部に設置される。ＩＰＤＣ受信機１ｂの構成は、ＩＰＤＣ受信機１ａの構成と同じであり、１つの入力端子と２つの出力端子とを有する。ＩＰＤＣ受信機１ｂの２つの出力端子のうちの一方の出力端子は、壁面に露出する。この出力端子が同軸ケーブル５ｂを介してテレビジョン受像機２ｂに接続される。
【００２２】
ＩＰＤＣ受信機１ｂは、さらに、受信した放送信号からＩＰデータを抽出して、その抽出されたＩＰデータを無線によって出力する。無線により出力されたＩＰデータは、無線通信端末４ｂにより受信される。無線通信端末４ｂは、ＩＰＤＣ受信機１ｂが設置された部屋の中にある無線通信端末である。
【００２３】
無線通信端末４ａ，４ｂは、たとえばスマートフォン、タブレット、パーソナルコンピュータ等を含むがこれらに限定されない。無線通信端末４ａ，４ｂの各々は、ＩＰデータを受信する。無線通信端末４ａ，４ｂの各々は、その受信されたＩＰデータに対して所定の処理を実行することにより、たとえばコンテンツを再生する。たとえば無線通信端末４ａ，４ｂの各々の表示画面に、ユーザが視聴中の番組の名称あるいは出演者等の情報が表示される。
【００２４】
無線通信端末４ａ，４ｂは、たとえば無線ルータ３に接続される。無線ルータ３は、ネットワーク３０１を介してサーバ３０２に接続される。無線通信端末４ａ，４ｂは、無線ルータ３およびネットワーク３０１を通じて、各種の情報をサーバ３０２からダウンロードしたり、各種の情報をサーバ３０２にアップロードしたりすることができる。
【００２５】
図２は、本考案の実施の形態に係るＩＰＤＣ受信機１ａの概略的な外観を示した図である。ＩＰＤＣ受信機１ｂの構成は、ＩＰＤＣ受信機１ａの構成と同じであるので、以後の詳細な説明は繰り返さない。
【００２６】
図２を参照して、ＩＰＤＣ受信機１ａは、壁５０に形成された空間に収容される。筐体１０の表面１２が壁５０の表面（壁面）に露出する。
【００２７】
ＩＰＤＣ受信機１ａは、筐体１０と、入力端子２０と、出力端子２１，２２とを有する。出力端子２２は、筐体１０の表面１２に露出している。上記のように、筐体１０の表面１２が壁５０の表面（壁面）に露出する。すなわち出力端子２２は、壁面端子である。出力端子２２には、たとえば「テレビコンセント」あるいは「テレビ端子」とも呼ばれる端子を適用することができる。
【００２８】
なお、筐体１０の壁面側が開口しており、筐体１０の開口部を覆うためのカバーが壁５０の表面に取り付けられてもよい。上記のカバーは、出力端子２２を壁面に露出させるための開口を有していればよい。
【００２９】
入力端子２０は、放送信号を受けるための端子である。出力端子２１は、スルー出力用の端子である。ＩＰＤＣ受信機１ａが壁５０の内側に設置された状態において、入力端子２０および出力端子２１は、壁５０の内側に位置する。すなわち、入力端子２０および出力端子２１は、壁面には露出しない。たとえば入力端子２０および出力端子２１は、同軸ケーブル用のＦ型コネクタに接続可能なように形成された端子であってもよい。
【００３０】
図３は、本考案の実施の形態に係るＩＰＤＣ受信機の内部構成を示したブロック図である。ＩＰＤＣ受信機１ａ，１ｂの構成は互いに同一であるので、図３にはＩＰＤＣ受信機１ｂの構成を代表的に示す。
【００３１】
図３を参照して、ＩＰＤＣ受信機１ｂは、入力端子２０と、出力端子２１（第１の出力端子）と，出力端子２２（第２の出力端子）と、ＲＦＣ（高周波チョークコイル）２３と、コンデンサ２４，２５ａ，２５ｂと、分岐回路２６と、電源回路２７と、無線出力回路２８と、これらを収容する筐体１０とを含む。
【００３２】
アンテナ２０１で受信された放送信号が、ケーブル２０２を通じてＩＰＤＣ受信機１ａの入力端子２０に入力される。図３では、放送信号を「ＲＦ」との名称および実線の矢印で示す。
【００３３】
ＩＰＤＣ受信機１ａは、出力端子２２から放送信号を出力する。出力端子２２は、テレビジョン受像機２ａに接続されて、テレビジョン受像機２ａは放送信号を受ける。さらに、テレビジョン受像機２ａからＤＣ電圧が供給される。図３では、ＤＣ電圧を「ＤＣ」との名称および破線の矢印で示す。たとえば今日の多くのテレビジョン受像機は、ＢＳ（放送衛星）アンテナおよび／またはＣＳ（通信衛星）アンテナのコンバータに電源電圧を供給するための機能を有する。この機能を利用して、テレビジョン受像機２ａからＩＰＤＣ受信機１ａにＤＣ電圧を供給することができる。
【００３４】
ＩＰＤＣ受信機１ａは、供給されたＤＣ電圧により動作して、ＩＰデータの無線送信を行なう。さらに、ＩＰＤＣ受信機１ａの出力端子２１からは、ＤＣ電圧が重畳された放送信号が出力される。また、上述のように、ＩＰＤＣ受信機１ａの入力端子２０からケーブル２０２を通じて、アンテナ２０１（ＢＳアンテナおよび／またはＣＳアンテナ等のコンバータ）に電源電圧を供給することができる。
【００３５】
ＩＰＤＣ受信機１ａの出力端子２１から出力された放送信号は、ＩＰＤＣ受信機１ｂの入力端子２０に入力される。ＩＰＤＣ受信機１ｂの入力端子２０に入力された放送信号は、ＲＦＣ２３、コンデンサ２４および電源回路２７へと送られる。
【００３６】
ＲＦＣ２３の一方端は入力端子２０に電気的に接続される。ＲＦＣ２３の他方端は出力端子２１に電気的に接続される。ＲＦＣ２３は、入力端子２０に入力された放送信号にＤＣ電圧が重畳されている場合に、そのＤＣ電圧を放送信号から取り出すためのものである。
【００３７】
コンデンサ２４は、ＲＦＣ２３の一方端と分岐回路２６の入力端との間に接続される。コンデンサ２４は、入力端子２０に入力された放送信号にＤＣ電圧が重畳されている場合に、信号成分のみを通過させる（言い換えると、ＤＣ電圧を放送信号から除去する）ためのものである。
【００３８】
分岐回路２６は、コンデンサ２４を通過した放送信号を第１の信号Ｓ１および第２の信号Ｓ２に分ける。なお、第１の信号Ｓ１と第２の信号Ｓ２との間の強度比は、特に限定されるものではない。１つの実施形態では、第１の信号Ｓ１の強度は第２の信号Ｓ２の強度よりも大きい。これにより、ＩＰＤＣ受信機１ａからＩＰＤＣ受信機１ｂに、十分な強度を有する放送信号を出力することができる。
【００３９】
分岐回路２６と出力端子２１とは信号線により接続される。コンデンサ２５ａは、分岐回路２６における第１の信号Ｓ１の出力端と出力端子２１との間に接続されて、第１の信号Ｓ１の出力端へのＤＣ成分の入力を阻止する。
【００４０】
高周波チョーク回路２３の他方端は、コンデンサ２５ａと出力端子２１との間の信号線に接続される。入力端子２０に入力された放送信号にＤＣ電圧が重畳されている場合に、ＲＦＣ２３によって第１の信号Ｓ１にＤＣ電圧が重畳される。これにより、入力端子２０に入力された放送信号を、出力端子２１から出力することが可能になる。すなわちスルー出力を実現することができる。
【００４１】
なお、入力端子２０に入力された放送信号にＤＣ電圧が重畳されていない場合には、第１の信号Ｓ１にＤＣ電圧が重畳されない状態で出力端子２１から第１の信号Ｓ１が出力される。この場合にも、出力端子２１からの放送信号のスルー出力を実現することができる。
【００４２】
電源回路２７は、ＲＦＣ３１，３２と、逆流防止ダイオード３３と、ＤＣ／ＤＣコンバータ（変換回路）３４とを含む。ＲＦＣ３１，３２は、入力端子２０と出力端子２２との間に直列に接続される。すなわちＲＦＣ３１の一方端は、入力端子２０に電気的に接続される。ＲＦＣ３２の一方端は、出力端子２２に電気的に接続される。ＲＦＣ３１，３２の他方端同士が接続される。
【００４３】
ＲＦＣ３１は、入力端子２０に入力される放送信号にＤＣ電圧が重畳されている場合に、そのＤＣ電圧を放送信号から取り出すためのものである。ＲＦＣ３２は、出力端子２２に外部からＤＣ電圧が供給される（したがって出力端子２２から出力される放送信号にＤＣ電圧が重畳される）場合に、そのＤＣ電圧を放送信号から取り出すためのものである。
【００４４】
出力端子２２は、テレビジョン受像機２ｂに接続される。テレビジョン受像機２ｂからＤＣ電圧が供給される場合に、ＲＦＣ３２によって、そのＤＣ電圧を放送信号から取り出すことができる。
【００４５】
逆流防止ダイオード３３は、ＲＦＣ３１，３２の接続点からＤＣ／ＤＣコンバータ３４への向きに順方向となるように、ＲＦＣ３１，３２の接続点とＤＣ／ＤＣコンバータ３４との間に接続される。すなわち、ＲＦＣ３１，３２の接続点には、逆流防止ダイオード３３のアノードが接続される。一方、逆流防止ダイオード３３のカソードは、ＤＣ／ＤＣコンバータ３４の入力側に接続される。
【００４６】
ＲＦＣ３１の他方端またはＲＦＣ３２の他方端から、放送信号に重畳した電圧が取り出される。逆流防止ダイオード３３は、ＲＦＣ３１の他方端あるいはＲＦＣ３２の他方端からＤＣ／ＤＣコンバータ３４にＤＣ電流を流す一方で、その向きとは逆の向きにＤＣ電流が流れることを阻止する。
【００４７】
ＤＣ／ＤＣコンバータ３４は、ＲＦＣ３１またはＲＦＣ３２によって取り出されたＤＣ（直流）電圧を、無線出力回路２８の動作に適切な大きさを有する電源電圧に変換して、その電源電圧を無線出力回路２８に供給する。
【００４８】
無線出力回路２８は、ＩＳＤＢ（Integrated  Services  Digital  Broadcasting）−Ｔチューナ３７と、制御回路３８と、無線通信部３９とを備える。ＩＳＤＢ−Ｔチューナ３７は、分岐回路２６からの第２の信号Ｓ２（放送信号）に重畳して伝送されるＴＳを放送信号から抽出する。制御回路３８は、その抽出されたＴＳを処理して、無線通信端末４ａに送信されるべきＩＰデータを抽出する。たとえば制御回路３８は、所定の演算処理を実行するＣＰＵ（Central  Processing  Unit）と、その処理のためのプログラムを不揮発的に記憶するＲＯＭ（Read  Only  Memory）と、ＣＰＵの処理に必要なデータを一時的に記憶するＲＡＭ(Random  Access  Memory)とを有する。無線通信部３９は、制御回路３８によって抽出されたＩＰデータを無線により出力する。
【００４９】
分岐回路２６と出力端子２２とは信号線により接続される。上記のように、テレビジョン受像機２ｂからＤＣ電圧が供給される場合がある。コンデンサ２５ｂは、分岐回路２６における第２の信号Ｓ２の出力端と出力端子２２との間に接続されて、第２の信号Ｓ２の出力端およびＩＳＤＢ−Ｔチューナ３７の信号入力端へのＤＣ成分の入力を阻止する。
【００５０】
本考案の実施の形態では、ＩＰＤＣ受信機１ａ，１ｂは、１つの入力端子２０と、２つの出力端子２１，２２と、分岐回路２６（信号分割部）とを有する。本考案の実施の形態によれば、ＩＰＤＣ受信機１ａ，１ｂを直列に接続して、その複数のＩＰＤＣ受信機の間で放送信号を伝達することができる。アンテナに接続されるＩＰＤＣ受信機は、複数のＩＰＤＣ受信機のうちの１つのみ（図３ではＩＰＤＣ受信機１ａ）である。したがって、施工性（建物への設置）に優れたＩＰＤＣ受信機を提供することができる。
【００５１】
さらに、ＩＰＤＣ受信機１ａ，１ｂの出力端子２２から、放送信号が出力されるので、テレビジョン受像機２ａ，２ｂにおいてテレビ放送を視聴することができる。同時に、ＩＰＤＣ受信機１ａ，１ｂがそれぞれ設置される部屋において、無線通信端末４ａ，４ｂによりＩＰデータを受信することができる。無線通信端末４ａ，４ｂは、そのＩＰデータを処理することにより、テレビジョン受像機２ａ，２ｂと連動するサブデバイスを実現することができる。たとえばマルチスクリーン連動型のシステムを構築することができる。
【００５２】
このように本考案の実施の形態に係るＩＰＤＣ受信機は、ＩＰＤＣによるサービスをユーザが享受できるだけでなく、施工性においても優れる。したがって、本考案の実施の形態によれば、実用化に適した構成を有するＩＰＤＣ受信機を実現することができる。
【００５３】
さらにＩＰＤＣ受信機１ａ，１ｂの各々が有する２つの出力端子２１，２２のうちの一方の出力端子（具体的には出力端子２２）は壁面端子である。すなわち出力端子２２は、壁面に露出する。これにより、既存のテレビコンセントと同様に、出力端子２２とテレビジョン受像機とを同軸ケーブルで接続することでテレビジョン受像機による放送の視聴が可能になる。
【００５４】
さらに、本考案の実施の形態によれば、ＩＰＤＣ受信機１ａ，１ｂは、建物（家屋２００）の壁５０の内部に設置される。したがって無線通信端末のユーザは、特別な機器（たとえば壁面端子に接続される外付けの機器）を不要としながら、ＩＰＤＣを利用することができる。
【００５５】
さらに、本考案の実施の形態によれば、ＩＰＤＣ受信機は、入力端子２０と出力端子２１との間に接続される高周波チョークコイルを備える。入力端子２０に、ＤＣ電圧が重畳された放送信号が入力された場合に、出力端子２１からも、ＤＣ電圧が重畳された放送信号を出力することができる。すなわち、スルー出力を実現できる。
【００５６】
なお、上記の各実施の形態では、ＩＰＤＣ受信機が設置可能な建物の一例として一般家庭の家屋を例示している。しかし、本考案に係るＩＰＤＣ受信機が設置可能な建物は、マンション、オフィスビル等にも設置可能である。
【００５７】
また、上記の各実施の形態では、放送信号としては、放送局からの地上デジタル放送波を示した。しかし、ＩＰデータが重畳された放送信号であれば、特にその放送信号の種類を限定することなく、本考案に係るＩＰＤＣ受信機を、その放送信号の受信に用いることができる。たとえばＩＰデータが重畳された放送信号は、自主放送波であってもよい。
【００５８】
また、上記の各実施の形態では、電波によるＩＰＤＣの実現例を示した。しかしながら、ＣＡＴＶ局が独自コンテンツの配信にＩＰＤＣを利用する場合にも、本考案に係るＩＰＤＣ受信機は適用可能である。
【００５９】
また、図１では、単純化のために、アンテナ２０１とＩＰＤＣ受信機１ａとの間、およびＩＰＤＣ受信機１ａとＩＰＤＣ受信機１ｂとの間に同軸ケーブルのみが設けられる構成を示した。しかしながら、信号を増幅するために、たとえばアンテナ２０１とＩＰＤＣ受信機１ａとの間にブースタが挿入されていてもよい。
【００６０】
また、図３に示した構成では、放送信号を第１および第２の信号に分けるための信号分割部として、分岐回路２６がＩＰＤＣ受信機に設けられる。しかしながら分岐回路２６に代えて、分配器が用いられてもよい。分配器は、１つの放送信号を、強度の等しい２つの信号に分けることができる。
【００６１】
また、図３に示した構成では、２つの出力端子がＩＰＤＣ受信機に設けられる。ただし、出力端子の数は３つ以上であってもよい。ＩＰＤＣ受信機は、少なくとも、他のＩＰＤＣ受信機の入力端子と接続するため（言い換えるとスルー出力のため）の出力端子と、壁面に露出する出力端子（すなわち、テレビジョン受像機等に接続される端子）とを１つずつ有していればよい。さらに、この実施の形態では、建物に設置されるＩＰＤＣ受信機の数を２として説明したが、本考案の実施の形態に係るＩＰＤＣ受信機を建物に設置する場合において、その数は２に限定されない。本考案の実施の形態によれば、あるＩＰＤＣ受信機の出力端子と別のＩＰＤＣ受信機の入力端子とを接続する（たとえばケーブルを用いる）ことにより、複数のＩＰＤＣ受信機を多段接続（カスケード接続）することができる。
【００６２】
また、図３に示した構成では、無線出力回路２８には、第２の信号Ｓ２が入力される。したがって、第２の信号からＩＰデータが抽出される。しかしながら、分岐回路２６から第１の信号Ｓ１が、出力端子２１および無線出力回路２８に送られてもよい。この場合には、無線出力回路２８は、第１の信号Ｓ１からＩＰデータを抽出する。
【００６３】
また、上記の実施の形態では、テレビジョン受像機からＩＰＤＣ受信機に電源が供給される。しかしながら、ＩＰＤＣ受信機への電源の供給は、このような形態に限定されるものではない。たとえば、テレビジョン受像機とＩＰＤＣ受信機との間に電源供給器を介在させて、この電源供給器からＩＰＤＣ受信機に電源を供給することにより、ＩＰＤＣ受信機を動作させてもよい。
【００６４】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【符号の説明】
【００６５】
１ａ，１ｂ，１ｂ  ＩＰＤＣ受信機、２ａ，２ｂ  テレビジョン受像機、３  無線ルータ、４ａ，４ｂ  無線通信端末、５ａ，５ｂ  同軸ケーブル、１０  筐体、１２  表面（筐体）、２０  入力端子、２１，２２  出力端子、２３，３１，３２  高周波チョーク回路（ＲＦＣ）、２４，２５ａ，２５ｂ  コンデンサ、２６  分岐回路、２７  電源回路、２８  無線出力回路、３３  逆流防止ダイオード、３４  ＤＣ／ＤＣコンバータ、３７  ＩＳＤＢ−Ｔチューナ、３８  制御回路、３９  無線通信部、５０  壁、１０１  放送局、１０２  電波塔、２００  家屋、２０１  アンテナ、２０２，２０３  ケーブル、３０１  ネットワーク、３０２  サーバ、Ｓ１  第１の信号、Ｓ２  第２の信号。
【図１】
0003187558.tif 000003
【図２】
0003187558.tif 000004
【図３】
0003187558.tif 000005